(57)【要約】      （修正有）【課題】身体の動きを制限することなく、また美観を損なうことなく、着用するだけで姿勢を矯正できるアンダーウエアを提供する。【解決手段】アンダーウエア１は、肩線、袖ぐり、脇部５を有する前身頃と、肩線３ｂおよび脇部５で前身頃と連結している後身頃３よりなる伸縮性生地で形成されている。前身頃には、袖ぐりに沿わせて前側パワーネット帯を縫合し、後身頃３には、一方のパワーネット帯７と他方のパワーネット帯８が中央で交叉するようにＸ字状に縫合され、一方のパワーネット帯７の脇部側を前側パワーネット帯の脇部側に連結すると共に肩線側を肩線に連結し、他方のパワーネット帯８の脇部側を前側パワーネット帯の脇部側に連結すると共に肩線側を肩線に連結し、一方のパワーネット帯７と他方のパワーネット帯８の長手方向寸法を後身頃３の脇部側から肩線側に至る寸法と同じに設定する。【選択図】図２
0003147409.tif 000002
【実用新案登録請求の範囲】
【請求項１】
少なくとも肩線、袖ぐり、脇部を有する前身頃と、肩線および脇部で前身頃と連結している後身頃よりなり伸縮性生地で形成されているアンダーウエアであって、
上記前身頃には、上記袖ぐりに沿わせて所定幅の前側パワーネット帯を縫合し、
上記後身頃には、一方のパワーネット帯と他方のパワーネット帯が中央で交叉するようにＸ字状に縫合され、一方のパワーネット帯の脇部側を上記前側パワーネット帯の脇部側に連結すると共に肩線側を肩線に連結し、他方のパワーネット帯の脇部側を上記前側パワーネット帯の脇部側に連結すると共に肩線側を肩線に連結し、
上記一方のパワーネット帯と他方のパワーネット帯の長手方向の寸法は、上記後身頃の脇部側から肩線側に至る寸法と同じに設定したことを特徴とするアンダーウエア。
【請求項２】
後身頃に縫合する後側パワーネット帯はＸ字状に形成され、各端部が上記後身頃の脇部側と肩線側に各々連結させた請求項１に記載のアンダーウエア。
【請求項３】
両側の脇部の下端から袖ぐりに向けて一対の脇部パワーネット帯を各々縫合し、この脇部パワーネット帯は上記脇部の下端から袖ぐりに向けて漸次幅狭に形成すると共に、脇部パワーネット帯と伸縮性生地の縫合面積を同じに設定した請求項１または２のいずれかに記載のアンダーウエア。
【考案の詳細な説明】
【技術分野】
【０００１】
本考案は、着用することにより上半身の姿勢を矯正させるアンダーウエアに関する。
【背景技術】
【０００２】
背が丸まっている姿勢を矯正するための衣類は、例えば、特開平１１−１５８７１２号公報（特許文献１）や特開平９−７５３８３号公報（特許文献２）が知られている。
【特許文献１】特開平１１−１５８７１２号公報
【特許文献２】特開平９−７５３８３号公報
【考案の開示】
【考案が解決しようとする課題】
【０００３】
しかし、上記の特許文献に開示されているものは、姿勢を矯正させるために、衣類に伸縮部材からなるたすき形成部材を設けるもの、或いは、伸縮性のある交差ベルトを人体の背中にて交差させて装着するものである。これらの矯正部材は、衣類と一体ではなく、しかも、たすき形成部材や交差ベルトの厚さが厚いために、運動時の動きが制限されることがあり、また、上着を装着したときにも外部から矯正部材が見えてしまい、美観が損なわれるため、装着する場所が制限される問題があった。
本考案は、身体の動きを制限することなく、また美観を損なうことなく、着用するだけで姿勢を矯正できるアンダーウエアを提供するものである。
【課題を解決するための手段】
【０００４】
本考案のアンダーウエアは、少なくとも肩線、袖ぐり、脇部を有する前身頃と、肩線および脇部で前身頃と連結している後身頃よりなる伸縮性生地で形成されていて、上記前身頃には、上記袖ぐりに沿わせて所定幅の前側パワーネット帯を縫合し、上記後身頃には、一方のパワーネット帯と他方のパワーネット帯が中央で交叉するようにＸ字状に縫合され、一方のパワーネット帯の脇部側を上記前側パワーネット帯の脇部側に連結すると共に肩線側を肩線に連結し、他方のパワーネット帯の脇部側を上記前側パワーネット帯の脇部側に連結すると共に肩線側を肩線に連結し、上記一方のパワーネット帯と他方のパワーネット帯の長手方向の寸法は、上記後身頃の脇部側から肩線側に至る寸法と同じに設定するように構成している。
【０００５】
また、上記アンダーウエアは、両側の脇部の下端から袖ぐりに向けて一対の脇部パワーネット帯を各々縫合し、この脇部パワーネット帯は上記脇部の下端から袖ぐりに向けて漸次幅狭に形成すると共に、脇部パワーネット帯と伸縮性生地の縫合面積を同じに設定するように構成している。
【考案の効果】
【０００６】
本考案によるアンダーウエアは、適度の締め付けによる緊締部の緊締力が身体の動きを制限することなく、背筋を延ばすように矯正することにより姿勢を矯正でき、しかも、上着を装着した場合であっても、美観を維持することができる。また、両側の脇部に脇部パワーネット帯を各々縫合することにより、腹部を適度の締め付けることから、例えばメタボリックシンドロームを徐々に矯正できる。
【考案を実施するための最良の形態】
【０００７】
以下、本考案を実施するための最良の形態を、図面を参照して詳細に説明する。図１は本考案のアンダーウエア１の正面図、図２はアンダーウエア１の背面図である。アンダーウエア１は前身頃２と後身頃３と両袖４を備えている。前身頃２は襟ぐり２ｃと袖４を連結する袖ぐり２ａ、後身頃３に連結する肩線２ｂを有している。後身頃３は前身頃２の襟ぐり２ｃに連絡する後身頃３の襟ぐり３ｃ、袖４を連結する袖ぐり３ａ、前身頃２に連結する肩線３ｂを有している。
【０００８】
前身頃２および後身頃３と袖４は、伸縮性を有する木綿、羊毛などの動植物繊維、或いは、ナイロン、テトロン等の合成繊維等が使用され、好ましくは、綿にポリウレタン、スパンテック素材などの素材を加えることにより伸縮性を増加させた生地が良い。
【０００９】
上記前身頃２の両側の袖ぐり２ａには、図１に示すように、袖４側に沿わせて、例えば３〜８ｃｍとした所定幅の前側パワーネット帯６が少なくとも両端縁で縫合されている。各々の前側パワーネット帯６の端部は、肩線２ｂおよび脇部５まで達している。この前側パワーネット帯６の長手方向の寸法は、袖ぐり２ａの寸法と同じに設定している。このため、前側パワーネット帯６を縫合することによって、自由状態で前身頃２が縮むことはない。ここで、パワーネットとはナイロン等にポリウレタン弾性繊維を交編したストレッチパワーを有する細かいネット状の編み物であり、伸びた後にキックバックする性質を備えている。
【００１０】
上記後身頃３には、図２に示すように、一方のパワーネット帯７と他方のパワーネット帯８が後身頃３の中央で交叉させたＸ字状に縫合されている。一方のパワーネット帯７は、脇部側が前側パワーネット帯６の脇部側に連結され、肩線側が前側パワーネット帯６の肩線側に連結されている。また、他方のパワーネット帯８は、脇部側が前側パワーネット帯６の脇部側に連結され、肩線側が前側パワーネット帯６の肩線側に連結されている。これら一方のパワーネット帯７と他方のパワーネット帯８は、図３に示すように、長手方向の寸法が後身頃３の脇部５側から肩線側２ｂに至る寸法Ｌと同じに設定されている。このため、一方のパワーネット帯７と他方のパワーネット帯８を後身頃３に縫合することによって、自由状態で後身頃３が縮むことはない。また、一方のパワーネット帯７と他方のパワーネット帯８の幅は、およそ３〜８ｃｍに設定することが望ましい。
【００１１】
なお、後身頃３に縫合するパワーネット帯は、上述したように、一方のパワーネット帯７と他方のパワーネット帯８の２枚のパワーネット帯を縫合する他、予め、図２に示すような中央で交叉するＸ字状に形成した１枚のパワーネット帯を後身頃３に縫合するようにしても良い。また、一方のパワーネット帯７と他方のパワーネット帯８の２枚のパワーネット帯を中央で交叉するようにＸ字状に縫合した後、後身頃３に縫合するようにしても良い。
【００１２】
このように、前側パワーネット帯６および一方のパワーネット帯７と他方のパワーネット帯８を縫合したアンダーウエア１を使用者が着用すると、背筋を伸ばした正しい姿勢のときは、後身頃３の一方のパワーネット帯７と他方のパワーネット帯８が伸ばされることがないので、一般周知のアンダーウエアを着用したときと同様の状態となる。ところが、図４における二点鎖線で示すように、猫背状態の悪い姿勢になると、後身頃３の一方のパワーネット帯７と他方のパワーネット帯８が伸ばされることから、図５に示すように、後身頃３がキックバックするために適度な締め付けが生じ、図４における実線で示すように、背筋を伸ばした正しい姿勢に引き戻される。このため、使用者は締め付けが生じないように背筋を伸ばした正しい姿勢に戻そうとする意識が働き、常に正しい姿勢を維持することができる。
【００１３】
このアンダーウエア１を女性Ｗが着用した場合は、正しい姿勢に戻されるために、図４に示すように、矢示のように、胸が前方に出ることからバストアップ状態を得ることができる。また、ゴルフ用アンダーウエアとして好適に用いることができる。ゴルフにおいては、理想のスイングイメージを作るために背筋を伸ばして身体の軸芯を直線的にすることにより、アドレスからテイクバック、スイングと一連の動きが軸芯を中心に捻転することが大事である。本考案によるアンダーウエア１を着用した場合、猫背状態で軸芯が曲がったときには、パワーネット帯のキックバック作用によって正しい姿勢に引き戻されることから、軸芯を直線的に矯正するので、理想のゴルフフォームへの意識づけを容易に行うことができる。また、パワーネットは細かいネット状の編み物のため通気性を有しているので、運動を行うことによる発汗を通過させて外へ放出させることができ、ムレを防止することができる。
【００１４】
図１及び図２において、前身頃２と後身頃３の脇部５には、脇部パワーネット帯９が各々縫合されている。この脇部パワーネット帯９は、下端から袖ぐり２ａに向けて漸次幅狭に形成されていて、略三角形状をなしている。また、脇部パワーネット帯９とアンダーウエア１の伸縮性生地の縫合面積を同じに設定している。
【００１５】
このように、両側の脇部５に脇部パワーネット帯９を各々縫合すると、使用者の腹部を適度の締め付けるのでウエストサイズを減少させ、例えばメタボリックシンドロームを徐々に矯正することができる。
【産業上の利用可能性】
【００１６】
本考案は、アンダーウエアに適用可能である。
【図面の簡単な説明】
【００１７】
【図１】本考案に関わるアンダーウエアの正面図である。
【図２】本考案に関わるアンダーウエアの背面図である。
【図３】伸縮性生地とパワーネット帯との寸法関係を示す説明図である。
【図４】アンダーウエアを着用した状態を示す説明図である。
【図５】パワーネット帯によるキックバック作用を示す説明図である。
【符号の説明】
【００１８】
１      アンダーウエア
２      前身頃
２ａ    袖ぐり
２ｂ    肩線
３      後身頃
３ａ    袖ぐり
３ｂ    肩線
４      袖
５      脇部
６      前側パワーネット帯
７      一方のパワーネット帯
８      他方のパワーネット帯
９      脇部パワーネット帯
【図１】
0003147409.tif 000003
【図２】
0003147409.tif 000004
【図３】
0003147409.tif 000005
【図４】
0003147409.tif 000006
【図５】
0003147409.tif 000007